(57)【特許請求の範囲】
【請求項１】
記録媒体を出し入れ自在な挿入口が設けられた機器本体と、
前記機器本体に移動自在に設けられているとともに、前記機器本体の一つの面の前方に露出される露出面を備えた移動ユニットと、を備えた電子機器であって、
前記移動ユニットを、前記挿入口全体を覆う第１の位置と、前記挿入口全体を開放する第２の位置と、前記挿入口の一部を覆う第３の位置とに順に移動する移動機構を備え、
前記移動機構は、
その一端が前記移動ユニットの下端部を支持するとともにその他端が前記一つの面から突没する方向に移動自在に設けられた第１アームと、
その一端が前記移動ユニットの上端部を支持するとともにその他端が前記一つの面から突没する方向に移動自在に設けられた第２アームと、
前記第１の位置と前記第２の位置との間を移動する際には、前記第２アームの他端の移動を停止したまま前記第１アームの他端を前記一つの面から突没する方向に移動させ、前記第２の位置と前記第３の位置との間を移動する際には、前記第１アームの他端の移動を停止したまま前記第２アームの他端を前記一つの面から突没する方向に移動させる動作切換機構と、を備えたことを特徴とする電子機器。
【請求項２】
前記動作切換機構は、
前記移動ユニットを前記第１の位置と前記第２の位置と前記第３の位置とに順に移動する際に前記機器本体に対して移動する第１スライド部材と、
前記第１の位置と前記第２の位置との間を移動する際には前記第１スライド部材とともに前記第１アームの他端を前記機器本体に対して移動させ、前記第２の位置と前記第３の位置との間を移動する際には前記第１アームの他端の前記機器本体に対する移動を規制して前記第１スライド部材を移動させる動作切り換え部と、
前記機器本体に前記第１スライド部材に接離する方向に移動自在に設けられかつ前記第１スライド部材に向かって付勢されているとともに前記第２アームを支持した第２スライド部材と、
前記第２の位置と前記第３の位置との間では、前記第１スライド部材に押圧されて前記第２スライド部材を前記付勢力に抗して押圧する中間部材と、
を備えたことを特徴とする請求項１記載の電子機器。
【請求項３】
前記第１スライド部材は、
第１の板部と、前記第１の板部から立設した第２の板部と、を備えてＬ字状に形成され、
前記第１の板部と前記第２の板部との一方に、前記第１アームの動作をつかさどる第１カム部を設け、他方に前記中間部材の動作をつかさどる第２カム部を設けたことを特徴とする請求項２記載の電子機器。
【発明の詳細な説明】
【技術分野】
【０００１】
本発明は、例えば自動車等の移動体に装着される機器本体と、該機器本体に移動自在に設けられた移動ユニットを備えた電子機器に関する。
【背景技術】
【０００２】
従来から、移動体としての自動車には、電子機器としての各種のＡＶ（Audio-Visual）機器などが取り付けられることがある。ＡＶ機器は、例えば、箱状の機器本体と、この機器本体の前面を開閉可能とするために該機器本体に移動自在に設けられた移動ユニットとしての表示ユニットとを備えている。
【０００３】
機器本体は、扁平な箱状に形成されており、前述した自動車のインストルメントパネルに取り付けられる。機器本体は、テレビチューナや、ＤＶＤ（Digital Versatile Disk）プレーヤなどを収容している。機器本体は、前面（使用者と相対しかつ前記インストルメントパネル外に露出する面）に、該機器本体に前述したＤＶＤビデオなどを出し入れ可能とする挿入口を設けている。
【０００４】
表示ユニットは、扁平な板状に形成されており、例えば、ＬＣＤ（Liquid CrystalDisplay）などの表示パネルを備えている。表示ユニットは、表示パネルに前述したＤＶＤプレーヤが再生した情報や、テレビチューナが受信したテレビ映像を表示する。
【０００５】
前述した表示ユニットは、機器本体内に収容された駆動機構により、下端部が前面より前方に突没するとともに、上端部が機器本体に摺動する。表示ユニットは、駆動ユニットにより、機器本体の前面全体を覆う第１の位置と、該第１の位置より下端部が前方に突出して前記表示面が上方に傾くとともに前記挿入口を覆う第２の位置と、該第２の位置より更に下端部が前方に突出して前記表示面が更に上方に傾くとともに前記挿入口を開放する第３の位置と、に亘って順に移動される。
【０００６】
前述した表示ユニットは、未使用時には前記第１の位置に位置付けられ、表示パネルに情報を表示する際には第２の位置に位置付けられる。さらに、表示ユニットは、機器本体２に挿入口を通してＤＶＤビデオなどを出し入れする際には、第３の位置に位置付けられる。
発明の開示
発明が解決しようとする課題
［０００７］
前述した電子機器としてのＡＶ機器は、表示ユニットを表示パネルに情報を表示する際に、第１の位置と第３の位置との間の第２の位置に位置付ける。このように、表示パネルに情報を表示する即ち使用時に表示ユニットが位置付けられる第２の位置が、該表示ユニットの移動範囲の中間に位置している。このため、従来のＡＶ機器は、第２の位置における表示ユニットの機器本体に対するガタが大きくなって、使用時に表示ユニットががたつきやすかった。したがって、従来のＡＶ機器は、使用中に自動車などの走行中の振動により、表示ユニットが機器本体に対してがたついて、異音を生じることがあった。
［０００８］
また、異音の発生を防止するために、前記表示ユニットをばねなどの付勢手段でより強い力で付勢することで、表示ユニットが機器本体に対しがたつくことを防止することも考えられる。この場合、付勢手段の付勢力が強くなって、該付勢力に抗して表示ユニットを移動するための駆動源や駆動機構が複雑になるとともに大型化することが考えられる。この場合、機器全体が大型化することも考えられる。
［０００９］
さらに、前述したＡＶ機器は、より多種多様な機能を実現することが求められている。このため、移動ユニットとしての表示ユニットを移動する機構がより小型であることが求められている。
［００１０］
本発明の目的は、例えば、使用時における移動ユニットのがたつきを抑制できる電子機器を提供することにある。
課題を解決するための手段
［００１１］
前記目的を達成するために、請求項１に記載の本発明の電子機器は、記録媒体を出し入れ自在な挿入口が設けられた機器本体と、前記機器本体に移動自在に設けられているとともに、前記機器本体の一つの面の前方に露出される露出面を備えた移動ユニットと、を備えた電子機器であって、前記移動ユニットを、前記挿入口全体を覆う第１の位置と、前記挿入口全体を解放する第２の位置と、前記挿入口の一部を覆う第３の位置とに順に移動する移動する移動機構を備え、前記移動機構は、その一端が前記移動ユニットの下端部を支持するとともにその他端が前記一つの面から突没する方向に移動自在に設けられた第１アームと、その一端が前記移動ユニットの上端部を支持するとともにその他端が前記一つの面から突没する方向に移動自在に設けられた第２アームと、前記第１の位置と前記第２の位置との間を移動する際には、前記第２アームの他端の移動を停止したまま前記第１アームの他端を前記一つの面から突没する方向に移動させ、前記第２の位置と前記第３の位置との間を移動する際には、前記第１アームの他端の移動を停止したま前記第２アームの他端を前記一つの面から突没する方向に移動させる動作切換機構と、を備えたことを特徴としている。
［００１２］
【図面の簡単な説明】
［００１３］
［図１］本発明の一実施例にかかる電子機器としてのＡＶ機器が自動車のインパネに取り付けられた状態を示す斜視図である。
［図２］図１に示されたＡＶ機器の第１駆動部などの構成を示す平面図である。
［図３］図２に示された第１駆動部の要部を示す平面図である。
［図４］図３に示された第１駆動部の要部を示す側面図である。
［図５］図４に示された第１駆動部の要部を拡大して示す側面図である。
［図６］図５に示された第１駆動部の大径部材の平面図である。
［図７］図６中のＶＩＩ−ＶＩＩ線に沿う断面図である。
［図８］図１に示されたＡＶ機器の第２駆動部などの構成を示す側面図である。
［図９］図８に示された第２駆動部などの構成を示す平面図である。
［図１０］図８に示された操作ユニットが挿排出位置に位置付けられた状態の第２駆動部などを示す側面図である。
［図１１］図１０に示された第２駆動部などを示す平面図である。
［図１２］図１０に示された操作ユニットが操作位置に位置付けられた状態の第２駆動部などを示す側面図である。
【図１３】図１２に示された第２駆動部などを示す平面図である。
【図１４】図１に示されたＡＶ機器の表示ユニットが収容位置に位置付けられ、操作ユニットが覆い位置に位置付けられた状態を示す正面図である。
【図１５】図１４に示されたＡＶ機器の側面図である。
【図１６】図１４に示されたＡＶ機器の操作ユニットが上向きに移動された状態を示す正面図である。
【図１７】図１６に示されたＡＶ機器の側面図である。
【図１８】図１６に示されたＡＶ機器の表示ユニットが基準位置から視認位置に向かって移動している状態を示す正面図である。
【図１９】図１８に示されたＡＶ機器の側面図である。
【図２０】図１８に示されたＡＶ機器の表示ユニットが視認位置に位置付けられ操作ユニットが挿排出位置に位置付けられた状態を示す正面図である。
【図２１】図２０に示されたＡＶ機器の側面図である。
【図２２】図２０に示されたＡＶ機器の操作ユニットが操作位置に位置付けられた状態を示す正面図である。
【図２３】図２２に示されたＡＶ機器の側面図である。
【符号の説明】
【００１４】
１  ＡＶ機器（電子機器）
２  機器本体
４  操作ユニット（移動ユニット）
４ａ  下端部
４ｂ  上端部
７ｂ  挿入口
７ｃ  一つの面
１５ａ  露出面
３７  駆動ユニット（移動機構）
４２  下連結アーム（第１アーム）
４２ａ  一端
４２ｂ  他端
４３  上連結アーム（第２アーム）
４３ａ  一端
４３ｂ  他端
４５  第１スライドシャーシ（スライド部材、第１スライド部材）
４６  第２スライドシャーシ（第２スライド部材）
４７  連結シャーシ（中間部材）
５５  水平部（第１の板部）
５６  鉛直部（第２の板部）
５９  スライド孔（カム部、第２カム部）
６１  支持孔（カム部、第１カム部）
７１  コイルばね（付勢手段）
８０  動作切換機構
８１  動作切り換え部
８２  ＤＶＤビデオ（記録媒体）
Ｙ  奥行き方向（一つの面から突没する方向）
【発明を実施するための最良の形態】
【００１５】
以下、本発明の一実施形態にかかる電子機器を説明する。本発明の一実施形態にかかる電子機器は、露出面が機器本体の前面に対し傾きかつ移動ユニットが挿入口を覆う使用時に該移動ユニットが位置付けられる第３の位置を、移動ユニットの移動範囲の端に位置付けている。こうすることで、使用時に位置付けられる第３の位置における移動ユニットの機器本体に対するガタを抑制して、使用時における移動ユニットのがたつきを抑制できるようにしている。このように、使用時における移動ユニットのがたつきを抑制して、異音の発生を防止できるようにしている。
【００１６】
また、移動ユニットを移動する移動機構が、第１アームと、第２アームと、これらのアームの動作をつかさどる動作切換機構とを備えても良い。動作切換機構が、第１の位置と第２の位置との間では、第１アームのみを移動し、第２の位置と第３の位置との間では第２連結アーム４３のみを移動しても良い。この場合、第２の位置より第３の位置における露出面の機器本体の一つの面に対する傾きを小さくすることができるので、第２の位置で移動ユニットが挿入口を開放できるとともに、第３の位置で移動ユニットが挿入口を覆うことができる。したがって、使用時に用いられる第３の位置を、確実に移動ユニットの移動範囲の端に位置付けることができる。
【００１７】
さらに、移動機構の動作切換機構が、機器本体にスライド自在な第１スライド部材と、第１アームの動作を切り換える動作切り換え部と、機器本体にスライド自在な第２スライド部材と、第１スライド部材から押圧されると第２スライド部材を押圧する中間部材と、を備えても良い。この場合、動作切換機構が、第１の位置と第２の位置との間では、第１アームのみを確実に移動でき、一つの駆動源で、移動ユニットを確実に第１の位置と第２の位置と第３の位置とに順に移動でき、移動ユニットを移動する機構即ち機器自体の小型化を図ることができる。
【００１８】
第１スライド部材が、第１の板部と、第２の板部とを備えて、Ｌ字状に形成されても良い。この場合、移動ユニットの動作をつかさどるスライド部材の小型化（薄型化）をはかることができ、移動ユニットを移動する機構の小型化を図ることが可能となる。
【００１９】
また、移動ユニットが移動する際にスライドするスライド部材を、第１の板部と第２の板部とを備えてＬ字状に形成し、第１の板部と第２の板部との双方に移動ユニットの動作をつかさどるカム部を設けている。こうすることで、移動ユニットの動作をつかさどるスライド部材の小型化（薄型化）をはかり、移動ユニットを移動する機構の小型化を図ることを可能にしている。
【実施例】
【００２０】
本発明の一実施例を、図１ないし図２３に基づいて説明する。電子機器としてのＡＶ（Audio-Visual）機器１は、図１などに示すように、移動体としての自動車のインストルメントパネル（以下、インパネと呼ぶ）Ｄなどに装着される。
【００２１】
ＡＶ機器１は、図１に示すように、機器本体２と、機器本体２内に出し入れ自在に設けられた可動ユニットとしての表示ユニット３と、機器本体２に移動自在に支持された移動ユニットとしての操作ユニット４と、第１駆動部５（図２などに示す）と、第２駆動部６（図９などに示す）などを備えている。
【００２２】
機器本体２は、合成樹脂から形成された筐体７と、板金などからなる第１固定シャーシ８（図２などに示す）と、板金などからなる第２固定シャーシ９（図９などに示す）と、を備えている。
【００２３】
筐体７は、扁平な箱状に形成されている。筐体７は、インパネＤに取り付けられる。筐体７は、インパネＤに装着された際に、自動車の乗員室側に相対向する一つの面７ｃに、開口部７ａ（図１６に示す）と、記録媒体としてのＤＶＤビデオ８２（図２１に示す）などを機器本体２に出し入れする挿入口７ｂ（図２０に示す）とを設けている。一つの面７ｃは、機器本体２の乗員（使用者）に相対する面である。なお、以下、図１などに示す矢印ＸをＡＶ機器１の幅方向と記し、矢印ＹをＡＶ機器１の奥行き方向と記し、矢印ＺをＡＶ機器１の厚み方向と記す。なお、奥行き方向Ｙは、本明細書に記した機器本体２の一つの面７ｃから突没する方向をなしている。
【００２４】
第１固定シャーシ８は、図２に示すように、略平坦な天井板１０と、該天井板１０の外縁から立設した複数の周板１１とを備えている。第２固定シャーシ９は、図９に示すように、略平坦な底板１２と、該底板１２の外縁から立設した複数の周板１３とを備えている。周板１１，１３が互いに取り付けられて、固定シャーシ８，９は、互いに取り付けられるようになっている。
【００２５】
第１固定シャーシ８と第２固定シャーシ９とは、互いに取り付けられて、前記筐体７内に収容される。第１固定シャーシ８と第２固定シャーシ９とは、互いに取り付けられると、扁平な箱状に形成され、外形が筐体７の内面に沿うこととなる。図示例では、第１固定シャーシ８は、筐体７内の上半分に設けられ、第２固定シャーシ９は、筐体７内の下半分に設けられる。
【００２６】
また、筐体７即ち機器本体２は、ＤＶＤプレーヤと、テレビチューナなどを収容している。ＤＶＤプレーヤは、周知のＤＶＤ（Digital Versatile Disk）ビデオ８２などを再生して、これらのＤＶＤビデオ８２などからの情報を表示ユニット３の後述の表示パネル３ａに表示する。テレビチューナは、テレビ放送を受信して、受信して得た映像を表示ユニット３の表示パネル３ａに表示する。
【００２７】
表示ユニット３は、液晶ディスプレイ（Liquid Crystal Display）などからなりかつ文字や画像などの情報を運転者などに向かって表示して視認させるための表示面としての表示パネル３ａと、この表示パネル３ａを収容する筐体部材３ｂなどを備えている。表示ユニット３は、前記第１固定シャーシ８内に、表示パネル３ａが下方に相対した状態で収容される。表示ユニット３は、第１駆動部５により機器本体２の内外に移動自在である。表示ユニット３の表示パネル３ａは、前述したＤＶＤプレーヤと、テレビチューナからの情報を表示する。
【００２８】
また、表示ユニット３は、最も開口部７ａから離れた側則ち最も筐体７の奥側に位置する一端部３ｃに、回転軸１４と取り付け可能領域Ｒ（図５中に平行斜線で示す）とが設けられている。
【００２９】
回転軸１４は、前記一端部３ｃの表示ユニット３の幅方向Ｘの両端から該幅方向Ｘに沿って突出している。回転軸１４は、円柱状に形成されている。回転軸１４は、第１駆動部５のスライドシャーシ１８に回転自在に支持される。このため、表示ユニット３は、回転軸１４即ち一端部３ｃを中心として回転自在に、スライドシャーシ１８を介して第１固定シャーシ８即ち機器本体２に回転自在に支持されている。なお、回転軸１４の軸芯Ｐ１（図２および図３中に一点鎖線で示す）は、本明細書に記した回転軸１４の回転中心をなしている。
【００３０】
取り付け可能領域Ｒは、図５に示すように、表示ユニット３の側方からみて、回転軸１４の外周を囲んでいるとともに、筐体部材３ｂなどで囲まれた空間（領域）となっている。取り付け可能領域Ｒは、内側に後述するねじりコイルばね３０を収容することが可能な空間（領域）である。取り付け可能領域Ｒとは、ねじりコイルばね３０を、筐体部材３ｂに干渉することなく取り付けることが可能な領域である。
【００３１】
表示ユニット３が機器本体２内に収容された状態で、取り付け可能領域Ｒを厚み方向Ｚに２等分する線分Ｓ１（図５に示す）と、取り付け可能領域Ｒを奥行き方向Ｙに２等分する線分Ｓ２（図５に示す）との交点である取り付け可能領域Ｒの中心Ｐ２と、前述した回転軸１４の軸芯Ｐ１とは、互いに位置ずれしている。図示例では、取り付け可能領域Ｒの中心Ｐ２より、回転軸１４の軸芯Ｐ１が、表示パネル３ａ寄りでかつスライドシャーシ１８から離れた側に位置付けられている。
【００３２】
また、表示ユニット３の表示パネル３ａは、パネルセンサを内蔵した所謂タッチパネルとなっている。パネルセンサは、前述した表示パネル３ａに表示する情報を、ＤＶＤプレーヤからの情報と、テレビチューナからの情報とを切り換えるためなどに用いられる。また、パネルセンサは、機器本体２内から表示ユニット３を出し入れするためや、機器本体２内にＤＶＤビデオ８２などを出し入れする際に操作ユニット４を移動して前述した挿入口７ｂを開閉するためなどに用いられる。
【００３３】
操作ユニット４は、図１に示すように、扁平な箱状のハウジング１５と、該ハウジング１５内に収容される表示パネルとしての液晶ディスプレイ（以下ＬＣＤと呼ぶ）１６と、各種のスイッチ１７と、を備えている。ハウジング１５は、長さと幅がそれぞれ機器本体２の幅と厚みとほぼ等しい扁平な箱状に形成されている。
【００３４】
ＬＣＤ１６は、使用者に対し各種の情報を表示する表示領域としての表示面を備えている。各種のスイッチ１７は、使用者が操作するための操作部を構成している。この表示面と操作部とが前記ハウジング１５の図１中手間側に位置する一つの面１５ａに設けられている。なお、この一つの面１５ａは、露出面をなしており、以下露出面と呼ぶ。
【００３５】
操作ユニット４に設けられたスイッチ１７が使用者などに操作されることによって、例えば、チューナが電波を受信する放送局の選局やＤＶＤプレーヤが再生するプログラムの選択が行われる。そして、操作ユニット４のＬＣＤ１６にその選局中の放送局の周波数、放送局名や、再生中のプログラム名等の情報を表示させる。
【００３６】
操作ユニット４は、前記機器本体２の一つの面７ｃの前方（機器本体２からみて）に位置付けられる。そして、操作ユニット４は、露出面１５ａが前記機器本体２の一つの面７ｃの前方に露出される。
【００３７】
第１駆動部５は、図２および図３に示すように、スライドシャーシ１８と、移送手段としての移送ユニット１９と、回転支持手段としての回転支持ユニット２０とを備えている。
【００３８】
スライドシャーシ１８は、板金などからなり、平板状に形成されている。スライドシャーシ１８は、第１固定シャーシ８の天井板１０の内側に配されているとともに、該天井板１０に重ねられている。スライドシャーシ１８は、移送ユニット１９の後述するリニアガイドのスライダに固定されている。このため、スライドシャーシ１８は、機器本体２の奥行き方向Ｙに沿って移動自在に第１固定シャーシ８の周板１１則ち機器本体２に支持されている。スライドシャーシ１８は、機器本体２の奥行き方向Ｙに沿ってスライドすることで、開口部７ａ内を通って、機器本体２に出し入れされる。
【００３９】
また、スライドシャーシ１８は、表示ユニット３の一端部３ｃに設けられた回転軸１４を回転自在に支持している。このため、スライドシャーシ１８は、回転軸１４即ち一端部３ｃを中心として回転自在に、表示ユニット３を支持している。
【００４０】
移送ユニット１９は、図２および図３に示すように、図示しないリニアガイドと、駆動源としてのモータ２１と、一対のラック２２と、一対の走行歯車２３と、複数の伝達歯車２４と、を備えている。リニアガイドは、レールと、スライダとを備えている。レールは、それぞれ、第１固定シャーシ８の奥行き方向Ｙに沿って延在した周板１１に取り付けられている。レールの長手方向は、前述した機器本体２の奥行き方向Ｙ則ち機器本体２の奥から開口部７ａに向かう方向に沿っている。スライダは、レールの長手方向に沿って移動自在に該レールに支持されている。
【００４１】
モータ２１は、スライドシャーシ１８に取り付けられているとともに、出力軸にはウォーム２５が取り付けられている。ラック２２は、直線状に延びており、第１固定シャーシ８の天井板１０の機器本体２の幅方向Ｘの両端に取り付けられている。ラック２２は、第１固定シャーシ８の天井板１０の機器本体２の奥側の端から開口部７ａ寄りの端に亘って、設けられている。ラック２２の長手方向は、機器本体２の奥行き方向Ｙと平行である。
【００４２】
一対の走行歯車２３は、機器本体２の幅方向Ｘに沿って互いに間隔をあけて配されている。一対の走行歯車２３は、それぞれ、ラック２２と噛み合っている。一対の走行歯車２３は、スライドシャーシ１８に回転自在に設けられた軸２６により互いに連結されている。
【００４３】
複数の伝達歯車２４は、それぞれ、スライドシャーシ１８に回転自在に設けられている。複数の伝達歯車２４は、互いに噛み合っているとともに、一つがウォーム２５と噛み合い、他の一つが一方の走行歯車２３と噛み合っている。伝達歯車２４は、モータ２１の回転駆動力を、走行歯車２３に伝達する。
【００４４】
前述した構成によって、移送ユニット１９は、モータ２１が例えば正転駆動すると、走行歯車２３がラック２２上を走行して、スライドシャーシ１８則ち表示ユニット３を機器本体２内に収容された収容位置（図２中に二点鎖線で示す）から機器本体２外に排出された（の外部に位置付けられた）基準位置（図２及び図３に示す）に向かって、機器本体２の奥行き方向Ｙに沿って、表示ユニット３を移動する。則ち、移送ユニット１９は、モータ２１が例えば正転駆動すると、開口部７ａを通して、機器本体２内の表示ユニット３を機器本体２外に露出させる。
【００４５】
また、移送ユニット１９は、モータ２１が例えば逆転駆動すると、走行歯車２３がラック２２上を走行して、スライドシャーシ１８則ち表示ユニット３を前述の基準位置から収容位置に向かって、機器本体２の奥行き方向Ｙに沿って移動する。則ち、移送ユニット１９は、モータ２１が例えば逆転駆動すると、開口部７ａを通して、機器本体２外の表示ユニット３を機器本体２内に収容する。
【００４６】
こうして、移送ユニット１９は、機器本体２内に収容された収容位置と、機器本体２内から排出された基準位置とに亘って、表示ユニット３を移動する。即ち、移送ユニット１９は、機器本体２に表示ユニット３を出し入れする。なお、基準位置とは、表示パネル３ａの表面が、移送ユニット１９の表示ユニット３を移送する方向即ち奥行き方向Ｙと平行な状態を示している。
【００４７】
回転支持ユニット２０は、図２および図３に示すように、駆動源としてのモータ２７と、回転歯車２８と、一対の大径部材２９と、一対のねじりコイルばね３０と、複数の伝達歯車３１とを備えている。
【００４８】
モータ２７は、スライドシャーシ１８に取り付けられているとともに、出力軸にはウォーム３２が取り付けられている。回転歯車２８は、図４に示すように、スライドシャーシ１８の表示ユニット３寄りの端部に回転自在に支持されている。回転歯車２８は、一方の回転軸１４の近傍に配されている。回転歯車２８の軸芯は、機器本体２の幅方向Ｘと平行である。
【００４９】
一対の大径部材２９のうち一方の大径部材２９は、図４ないし図７に示すように、大径部３３と、歯車としての歯車部３４とを一体に備えている。大径部３３は、内周面と外周面とが互いに偏心した円筒状に形成されている。大径部３３の内径は、前述した回転軸１４の外径と略等しく、大径部３３の外径は、回転軸１４の外径より大きい。大径部３３即ち大径部材２９は、内側に回転軸１４を通した状態で、該回転軸１４に固定される。このように、大径部３３は、回転軸１４の外周に取り付けられている。
【００５０】
大径部３３の外周面の軸芯Ｐ３は、回転軸１４の外周に取り付けられた状態で、該回転軸１４の軸芯Ｐ１より取り付け可能領域Ｒの中心Ｐ２寄りに位置付けられている。図示例では、大径部３３の軸芯Ｐ３は、回転軸１４の外周に取り付けられた状態で、取り付け可能領域Ｒの中心Ｐ２と一致している。大径部３３の外周面の軸芯Ｐ３は、本明細書に記した大径部３３の軸芯をなしている。
【００５１】
歯車部３４は、大径部３３が回転軸１４の外周に取り付けられると、前述した回転歯車２８と噛み合う。歯車部３４の曲率の中心は、大径部３３の内周面即ち回転軸１４の軸芯Ｐ１である。
【００５２】
一対の大径部材２９のうち他方の大径部材２９は、前述した大径部３３のみ備え、歯車部３４を備えていない以外は、前述した一方の大径部材２９と構成が等しいので、説明を省略する。
【００５３】
ねじりコイルばね３０は、それぞれ、断面円形の長尺の材料（以下、線材と呼ぶ）が、コイル状に曲げられて形成されている。ねじりコイルばね３０の内径は、大径部材２９の大径部３３の外径と略等しい。ねじりコイルばね３０は、内側に大径部３３を通した状態で、大径部材２９に取り付けられる。また、ねじりコイルばね３０の線材の直径の２倍と、ねじりコイルばね３０の内径との和（即ち、ねじりコイルばね３０の外径）は、前述した取り付け可能領域Ｒの幅Ｈ（図５に示す）より若干小さく、該幅Ｈと略等しい。なお、取り付け可能領域Ｒの幅Ｈとは、表示ユニット３が機器本体２内に収容された状態で前述した厚み方向Ｚの取り付け可能領域Ｒの幅を示している。
【００５４】
また、本明細書でいう前述した和（即ち、ねじりコイルばね３０の外径）が、取り付け可能領域Ｒの幅Ｈと略等しいとは、ねじりコイルばね３０の内径が回転軸１４の外径より十分に大きく、かつ前述した和（即ち、ねじりコイルばね３０の外径）が取り付け可能領域Ｒの幅Ｈより若干小さいことを示している。即ち、本明細書でいう前述した和（即ち、ねじりコイルばね３０の外径）が、取り付け可能領域Ｒの幅Ｈと略等しいとは、ねじりコイルばね３０の内径が回転軸１４の外径と等しい場合より、該ねじりコイルばね３０のばね定数を十分に小さくできるように、前述した和（即ち、ねじりコイルばね３０の外径）が取り付け可能領域Ｒの幅Ｈより若干小さくなるまで、ねじりコイルばね３０の内径を大きくできることを示している。また、前述した和（即ち、ねじりコイルばね３０の外径）が、取り付け可能領域Ｒの幅Ｈと略等しいとは、ねじりコイルばね３０が筐体部材３ｂなどと干渉せずに、内径が回転軸１４の外径より十分に大きいことを示している。
【００５５】
このように、ねじりコイルばね３０は、大径部材２９の大径部３３の外周に取り付けられている。また、ねじりコイルばね３０の一端は、スライドシャーシ１８に係止している。ねじりコイルばね３０の他端は、大径部材２９に係止している。ねじりコイルばね３０は、表示ユニット３を前述した基準位置から視認位置に向かって付勢する。
【００５６】
複数の伝達歯車３１は、それぞれ、スライドシャーシ１８に回転自在に設けられている。複数の伝達歯車３１は、互いに噛み合っているとともに、一つがウォーム３２と噛み合い、他の一つが回転歯車２８と噛み合っている。伝達歯車３１は、モータ２７の回転駆動力を、回転歯車２８即ち大径部材２９に伝達する。
【００５７】
前述した構成によって、回転支持ユニット２０は、モータ２７が例えば正転駆動すると、回転歯車２８により一方の大径部材２９の歯車部３４が回転する。すると、大径部材２９が回転軸１４に固定されているので、表示ユニット３が機器本体２内から排出されて則ち収容位置から移動されて位置する基準位置（図４中に実線で示す）から表示パネル３ａが乗員室内の乗員などと相対する視認位置（図４中に二点鎖線で示す）に向かって、表示ユニット３を、該表示ユニット３の機器本体２の奥側に位置する一端部３ｃを中心として機器本体２の幅方向Ｘ周りに回転させる。則ち、回転支持ユニット２０は、表示ユニット３を、一端部３ｃを中心として回転して、起立させて、前述した視認位置に位置付ける（又は立ち上がらせるともいう）。
【００５８】
また、表示ユニット３が前述した視認位置に位置付けられている状態で、回転支持ユニット２０は、モータ２７が例えば逆転駆動すると、伝達歯車３１が回転して、回転歯車２８により一方の大径部材２９の歯車部３４が回転する。すると、大径部材２９が回転軸１４に固定されているので、前述の視認位置から表示パネル３ａが下方に相対する図４中に実線で示す基準位置に向かって、ねじりコイルばね３０の付勢力に抗して、表示ユニット３を該表示ユニット３の機器本体２の奥側に位置する一端部３ｃを中心として機器本体２の幅方向Ｘ周りに回転させる。則ち、回転支持ユニット２０は、表示ユニット３を、一端部３ｃを中心として回転して、前述した基準位置に位置付ける（又は立ち下げるともいう）。こうして、回転支持ユニット２０は、表示ユニット３を立ち上げて又は立ち下げて、収容位置から移動されて位置する基準位置と、表示パネル３ａに表示した情報を乗員に視認させる視認位置とに亘って、表示ユニット３を回転する。
【００５９】
第２駆動部６は、図９、図１１および図１３に示すように、駆動源としてのモータ３５と、一対の連動歯車３６と、一対の駆動ユニット３７と、複数の伝達歯車３８と、を備えている。
【００６０】
モータ３５は、第２固定シャーシ９の底板１２に取り付けているとともに、出力軸にウォーム３９が取り付けられている。一対の連動歯車３６は、機器本体２の幅方向Ｘに沿って互いに並べられているとともに、互いに噛み合っている。連動歯車３６は、それぞれ、第２固定シャーシ９の底板１２に回転自在に支持されている。
【００６１】
駆動ユニット３７は、本明細書に記した移動機構をなしている。駆動ユニット３７は、機器本体２内に設けられ、該機器本体２の幅方向Ｘの両端部に設けられている。駆動ユニット３７は、それぞれ、第１スライド孔４１と、第１アームとしての下連結アーム４２と、第２アームとしての上連結アーム４３と、固定シャーシ４４と、動作切換機構８０とを備えている。
【００６２】
第１スライド孔４１は、図８、図１０および図１２に示すように、第２固定シャーシ９の奥行き方向Ｙに沿って直線状に延在した周板１３に設けられている。第１スライド孔４１は、周板１３を貫通している。第１スライド孔４１は、周板１３の挿入口７ｂ寄りの端部に設けられている。
【００６３】
第１スライド孔４１は、水平部５０と、該水平部５０に連なる傾斜部５１とを備えている。水平部５０は、前述した奥行き方向Ｙに沿って直線状に延在している。傾斜部５１は、水平部５０の挿入口７ｂ寄りの縁に連なっている。傾斜部５１は、挿入口７ｂに向かうにしたがって、徐々に第１固定シャーシ８の天井板１０から第２固定シャーシ９の底板１２に近づく方向に傾斜している。即ち、傾斜部５１は、水平部５０から挿入口７ｂに向かうにしたがって、徐々に下方に傾斜している。
【００６４】
下連結アーム４２と上連結アーム４３とは、それぞれ、アーム状に形成されている。下連結アーム４２は、長手方向が、前述した奥行き方向Ｙに沿う状態で配されている。下連結アーム４２は、機器本体２内に収容された状態で挿入口７ｂ寄りの一端４２ａが操作ユニット４の下端部４ａと回転自在に連結している。このため、下連結アーム４２の一端４２ａは、操作ユニット４の下端部４ａを支持している。
【００６５】
機器本体２内に収容された状態で下連結アーム４２の挿入口７ｂから離れた側の他端４２ｂには、前記第２スライド孔４０内に侵入して、該第２スライド孔４０内を移動自在なスライド突起５２が設けられている。下連結アーム４２の長手方向の中央部には、前記第１スライド孔４１内に侵入して、該第１スライド孔４１内を移動自在なスライド突起５３が設けられている。前述した下連結アーム４２の他端４２ｂは、スライド突起５２，５３がスライド孔４０，４１内を移動することで、奥行き方向Ｙに沿って、周板１３に対し移動自在に設けられている。
【００６６】
上連結アーム４３は、一端４３ａが操作ユニット４の上端部４ｂと回転自在に連結している。このため、上連結アーム４３の一端４３ａは、操作ユニット４の上端部４ｂを支持している。上連結アーム４３は、他端４３ｂが後述の第２スライドシャーシ４６と回転自在に連結している。上連結アーム４３の他端４３ｂは、奥行き方向Ｙに沿って移動自在に第２スライドシャーシ４６に連結することで、該奥行き方向Ｙに沿って移動自在に設けられている。
【００６７】
固定シャーシ４４は、板金からなり平板状に形成されている。固定シャーシ４４は、第２固定シャーシ９の底板１２に重ねられて、該第２固定シャーシ９に取り付けているとともに、前述した奥行き方向Ｙに沿って直線状に形成されている。固定シャーシ４４は、第２固定シャーシ９の幅方向Ｘの両端に設けられている。固定シャーシ４４には、奥行き方向Ｙに沿って直線状に延びたスライド孔５４が設けられている。スライド孔５４は、奥行き方向Ｙに沿って、固定シャーシ４４の挿入口７ｂより離れた側の端部から前記挿入口７ｂに向かって直線状に延在している。
【００６８】
動作切換機構８０は、第２スライド孔４０と、スライド部材と第１スライド部材との双方をなす第１スライドシャーシ４５と、第２スライド部材をなす第２スライドシャーシ４６と、中間部材をなす連結シャーシ４７と、を備えている。
【００６９】
第２スライド孔４０は、図８、図１０および図１２に示すように、第２固定シャーシ９の奥行き方向Ｙに沿って直線状に延在した周板１３に設けられている。第２スライド孔４０は、周板１３を貫通している。第２スライド孔４０は、周板１３の挿入口７ｂより離れた側の端部に設けられている。
【００７０】
第２スライド孔４０は、水平部４８と、該水平部４８に連なる傾斜部４９とを備えている。水平部４８は、前述した奥行き方向Ｙに沿って直線状に延在している。傾斜部４９は、水平部４８の挿入口７ｂ寄りの縁に連なっている。傾斜部４９は、挿入口７ｂに向かうにしたがって、徐々に第２固定シャーシ９の底板から第１固定シャーシ８の天井板１０に近づく方向に傾斜している。即ち、傾斜部４９は、水平部４８から挿入口７ｂに向かうにしたがって、徐々に上方に傾斜している。
【００７１】
第１スライドシャーシ４５は、板金からなり、平板状の水平部５５と、該水平部５５の縁から立設した平板状の鉛直部５６と、を一体に備えてＬ字状に形成されている。水平部５５は、本明細書に記した第１の板部をなしている。鉛直部５６は、本明細書に記した第２の板部をなしている。
【００７２】
第１スライドシャーシ４５は、水平部５５が固定シャーシ４４上に重ねられ、鉛直部５６が周板１３の内面に重ねられている。このため、水平部５５は、機器本体２の一つの内面として底板１２の内面と平行に配される。鉛直部５６は、機器本体２の他の内面として周板１３の内面と平行に配される。第１スライドシャーシ４５は、挿入口７ｂから離れた側（機器本体２の奥側）に設けられている。
【００７３】
第１スライドシャーシ４５には、リニアガイド５７と、スライド突起５８と、スライド孔５９と、ラック６０と、支持孔６１とが設けられている。リニアガイド５７は、第１スライドシャーシ４５に取り付けられているとともに、前記周板１３に奥行き方向Ｙに沿って、スライド自在に支持されている。スライド突起５８は、固定シャーシ４４に向かって凸に形成されているとともに、固定シャーシ４４のスライド孔５４内に侵入して、該スライド孔５４内を移動自在となっている。
【００７４】
スライド孔５９は、水平部５５を貫通しているとともに、直線部６２と、円弧部６３とを備えている。直線部６２は、奥行き方向Ｙに沿って直線状に延びている。円弧部６３は、直線部６２の挿入口７ｂから離れた側の端部に連なっている。円弧部６３は、円弧状に形成されかつ直線部６２即ち挿入口７ｂから離れるのにしたがって、機器本体２の幅方向Ｘに沿って外側に向かう方向に延びている。
【００７５】
スライド孔５９は、内側に連結シャーシ４７の後述するスライド突起７２が侵入することで、連結シャーシ４７即ち連結シャーシ４７を介して操作ユニット４の動作をつかさどる。スライド孔５９は、連結シャーシ４７の動作をつかさどる第２カム部と、連結シャーシ４７を介して操作ユニット４の動作をつかさどるカム部との双方をなしている。
【００７６】
ラック６０は、水平部５５に設けられ、連動歯車３６と噛み合っている。
【００７７】
支持孔６１は、鉛直部５６を貫通しているとともに、水平部６４と、傾斜部６５とを備えている。水平部６４は、奥行き方向Ｙに沿って直線状に延びている。傾斜部６５は、水平部６４の挿入口７ｂ寄りの端部に連なっている。傾斜部６５は、挿入口７ｂに近づくのにしたがって、徐々に底板１２に近づく（下方に向かう）方向に延びている。支持孔６１は、下連結アーム４２の端部に設けられたスライド突起５２が侵入するとともに、該スライド突起５２が移動自在となっている。支持孔６１は、スライド突起５２が侵入することで、下連結アーム４２を支持する。
【００７８】
支持孔６１は、内側に下連結アーム４２のスライド突起５２が侵入することで、下連結アーム４２即ち下連結アーム４２を介して操作ユニット４の動作をつかさどる。支持孔６１は、下連結アーム４２の動作をつかさどる第１カム部と、下連結アーム４２を介して操作ユニット４の動作をつかさどるカム部との双方をなしている。
【００７９】
また、第２スライド孔４０と支持孔６１とには、下連結アーム４２のスライド突起５２が侵入する。後述する覆い位置と挿排出位置との間では、スライド突起５２が水平部４８と傾斜部６５との内側に位置するとスライド突起５２の支持孔６１内での移動が規制され、スライド突起５２が傾斜部４９と傾斜部６５との内側に位置するとスライド突起５２の支持孔６１内での移動が許容される。
【００８０】
第２スライド孔４０と支持孔６１とは、覆い位置と挿排出位置との間では、第１スライドシャーシ４５に対して下連結アーム４２の他端４２ｂが移動することを規制する。即ち、第２スライド孔４０と支持孔６１とは、操作ユニット４が覆い位置と挿排出位置との間を移動する際には、第１スライドシャーシ４５とともに前記下連結アーム４２の他端４２ｂを前記機器本体２に対して移動させる。
【００８１】
挿排出位置と後述する操作位置との間ではスライド突起５２が傾斜部４９と水平部６４内に位置する。さらに、傾斜部４９の挿入口７ｂ寄りの端部が水平部６４と重なる。このため、挿排出位置と操作位置との間では、スライド突起５２の支持孔６１内での移動が許容される。即ち、スライド突起５２が支持孔６１内で移動自在となる。
【００８２】
第２スライド孔４０と支持孔６１とは、挿排出位置と操作位置との間では、第１スライドシャーシ４５に対して下連結アーム４２の他端４２ｂが移動することを許容する。また、第１スライドシャーシ４５は、モータ３５の駆動力でスライドされるのに対し、下連結アーム４２には駆動源からの駆動力が作用しない。このため、第２スライド孔４０と支持孔６１とは、挿排出位置と操作位置との間では、下連結アーム４２が第２固定シャーシ９即ち機器本体２に対し移動することを規制する。即ち、第２スライド孔４０と支持孔６１とは、操作ユニット４が挿排出位置と操作位置との間を移動する際には、下連結アーム４２の他端４２ｂを第１スライドシャーシ４５に対して移動自在にして、該下連結アーム４２の他端４２ｂの機器本体２に対する移動を規制して、第１スライドシャーシ４５を移動させる。
【００８３】
このように、第２スライド孔４０と支持孔６１とは、本明細書に記した動作切り換え部８１を構成している。
【００８４】
前述した構成の第１スライドシャーシ４５は、モータ３５が駆動して、連動歯車３６を回転することで、前述したリニアガイド５７とスライド突起５８などにより、奥行き方向Ｙに沿って移動される。このとき、例えばモータ３５が正転駆動すると、第１スライドシャーシ４５は、機器本体２の挿入口７ｂから離れた奥側から挿入口７ｂ寄り即ち手前側に移動する。また、例えばモータ３５が逆転駆動すると、第１スライドシャーシ４５は、機器本体２の挿入口７ｂから離れた側即ち機器本体２の奥側に移動する。また、前述した構成の第１スライドシャーシ４５は、リニアガイド５７とスライド突起５８などにより、操作ユニット４を後述する覆い位置と挿排出位置と操作位置とに順に移動する際に、奥行き方向Ｙに沿って、機器本体２に対して移動する。
【００８５】
第２スライドシャーシ４６は、板金からなり、平板状の水平部６６と、該水平部６６の縁から立設した平板状の鉛直部６７と、を一体に備えてＬ字状に形成されている。第２スライドシャーシ４６は、水平部６６が固定シャーシ４４上に重ねられ、鉛直部６７が周板１３の内面に重ねられている。第２スライドシャーシ４６の水平部６６は、固定シャーシ４４と間隔をあけているとともに、固定シャーシ４４との間に第１スライドシャーシ４５の水平部５５が侵入することを許容している。第２スライドシャーシ４６の鉛直部６７は、周板１３と間隔をあけているとともに、周板１３との間に第１スライドシャーシ４５の鉛直部５６が侵入することを許容している。第２スライドシャーシ４６は、第１スライドシャーシ４５より挿入口７ｂ寄りに設けられている。第２スライドシャーシ４６は、第１スライドシャーシ４５と奥行き方向Ｙに沿って並設されている。
【００８６】
第２スライドシャーシ４６には、複数のガイド孔６８と、連結孔６９とが設けられている。ガイド孔６８は、水平部６６を貫通しているとともに、奥行き方向Ｙに沿って直線状に延びている。ガイド孔６８内には、第２固定シャーシ９の底板１２及び固定シャーシ４４から立設したボス７０が侵入している。ガイド孔６８内では、ボス７０が移動自在となっている。
【００８７】
連結孔６９は、第２スライドシャーシ４６の水平部６６の挿入口７ｂから離れた側（機器本体２の奥側）の端部に設けられている。即ち、連結孔６９は、水平部６６の第１スライドシャーシ４５寄りの端部に設けられている。連結孔６９は、水平部６６を貫通している。連結孔６９は、機器本体２の幅方向Ｘに沿って直線状に延びている。
【００８８】
前述した第２スライドシャーシ４６は、前述したガイド孔６８と、該ガイド孔６８に侵入したボス７０などにより、奥行き方向Ｙに沿って移動自在となっている。第２スライドシャーシ４６は、奥行き方向Ｙに沿って移動することで、第１スライドシャーシ４５に接離する方向に移動自在に第２固定シャーシ９即ち機器本体２に設けられている。
【００８９】
また、第２スライドシャーシ４６には、第２固定シャーシ９の底板１２との間に付勢手段としてのコイルばね７１が掛け渡されている。第２スライドシャーシ４６は、コイルばね７１により挿入口７ｂから離れる方向即ち機器本体２の奥に向かって付勢されている。即ち、第２スライドシャーシ４６は、コイルばね７１によって、第１スライドシャーシ４５に向かって付勢されている。
【００９０】
さらに、前述した第２スライドシャーシ４６の鉛直部６７には、上連結アーム４３の端部が回転自在に連結している。このように、第２スライドシャーシ４６は、上連結アーム４３の端部が回転自在に連結することで、該上連結アーム４３を支持している。
【００９１】
連結シャーシ４７は、板金からなり平板状に形成されている。連結シャーシ４７は、第１スライドシャーシ４５と第２スライドシャーシ４６との間に設けられている。図示例では、連結シャーシ４７は、第１スライドシャーシ４５の上でかつ第２スライドシャーシ４６の下に設けられている。連結シャーシ４７は、挿入口７ｂ寄りの縁部４７ａを中心として、回転自在に、第２固定シャーシ９の底板１２に取り付けられている。
【００９２】
また、連結シャーシ４７には、一対のスライド突起７２，７３が設けられている。一方のスライド突起７２は、連結シャーシ４７から第１スライドシャーシ４５に向かって凸に形成され、該第１スライドシャーシ４５に設けられたスライド孔５９内に侵入しているとともに、該スライド孔５９内を移動自在となっている。
【００９３】
他方のスライド突起７３は、連結シャーシ４７から第２スライドシャーシ４６に向かって凸に形成され、該第２スライドシャーシ４６に設けられた連結孔６９内に侵入しているとともに、該連結孔６９内を移動自在となっている。
【００９４】
前述した連結シャーシ４７は、スライド突起７２がスライド孔５９の直線部６２内を移動する際には、前述した縁部４７ａを中心として回転することがいない（即ち、覆い位置と挿排出位置との間では回転が規制されている）。連結シャーシ４７は、スライド突起７２がスライド孔５９の円弧部６３内を移動する際には、前述した縁部４７ａを中心として回転する（即ち、挿排出位置と操作位置との間では、円弧部６３内のスライド突起７２の位置に応じて、回転する）。
【００９５】
さらに、連結シャーシ４７は、スライド突起７２が直線部６２から円弧部６３に向かって移動して、該スライド突起７２が円弧部６３を直線部６２から離れる方向に移動すると、縁部４７ａを中心として、第２スライドシャーシ４６を挿入口７ｂに近づく方向に押圧する向きに回転する。
【００９６】
このように、連結シャーシ４７は、覆い位置と挿排出位置との間では、第１スライドシャーシ４５から押圧されることがないとともに、スライド突起７２がスライド孔５９の直線部６２と円弧部６３により回転が規正されている。また、連結シャーシ４７は、挿排出位置と操作位置との間では、スライド突起７２がスライド孔５９の円弧部６３の内面から押圧されて、第１スライドシャーシ４５に押圧される。そして、連結シャーシ４７は、挿排出位置と操作位置との間では、第２スライドシャーシ４６をコイルばね７１の付勢力に抗して、奥行き方向Ｙに沿って一つの面７ｃの前方に向かって押圧する。
【００９７】
前述した構成によって、駆動ユニット３７は、モータ３５が例えば正転駆動すると、第１スライドシャーシ４５が挿入口７ｂに近づく。そして、スライド突起７２が円弧部６３内を移動すると、連結シャーシ４７が縁部４７ａを中心として回転して、第２スライドシャーシ４６が挿入口７ｂに近づく方向に移動する。さらに、下連結アーム４２のスライド突起５２，５３がスライド孔４０，４１内を移動して、駆動ユニット３７は、操作ユニット４を、該操作ユニット４が機器本体２の前述した一つの面７ｃ（図２０に示す）即ち開口部７ａと挿入口７ｂとの双方の全体を覆う図１４および図１５に示す覆い位置と、該操作ユニット４が開口部７ａと挿入口７ｂとの双方の全体を開放する図２０および図２１に示す挿排出位置と、該操作ユニット４が開口部７ａを開放しかつ前記挿入口７ｂの一部を覆う図２２および図２３に示す操作位置とに順に移動する。このように、操作ユニット４は、覆い位置と操作位置との間を移動する。このため、覆い位置と操作位置とは、操作ユニット４の移動範囲の端に位置している。
【００９８】
前述した覆い位置では、操作ユニット４の露出面１５ａが、機器本体２の一つの面７ｃと平行になる。覆い位置は、本明細書に記した第１の位置をなしている。挿排出位置では、操作ユニット４は、露出面１５ａが機器本体２の一つの面７ｃに対し傾く。挿排出位置は、本明細書に記した第２の位置をなしている。操作位置では、操作ユニット４は、露出面１５ａが機器本体２の一つの面７ｃに対し傾く。また、操作位置の露出面１５ａの一つの面７ｃに対する傾きは、挿排出位置の傾きより小さい。操作位置は、本明細書に記した第３の位置をなしている。
【００９９】
また、駆動ユニット３７は、モータ３５が例えば逆転駆動すると、第１スライドシャーシ４５が挿入口７ｂから離れる。そして、スライド突起７２が円弧部６３内を移動すると、連結シャーシ４７が縁部４７ａを中心として回転して、第２スライドシャーシ４６が挿入口７ｂから離れた後、スライド突起７２が直線部６２内を移動するとともに、第２スライドシャーシ４６が停止する。さらに、下連結アーム４３のスライド突起５２，５３がスライド孔４０，４１内を移動して、駆動ユニット３７は、操作ユニット４を、前述した操作位置と、挿排出位置と、覆い位置とに順に移動する。
【０１００】
複数の伝達歯車３８は、それぞれ、第２固定シャーシ９の底板１２に回転自在に設けられている。複数の伝達歯車３８は、互いに噛み合っているとともに、一つがウォーム３９と噛み合い、他の一つが連動歯車３６と噛み合っている。伝達歯車３８は、モータ３５の回転駆動力を、連動歯車３６即ち第１スライドシャーシ４５に伝達する。
【０１０１】
次に、前述した構成のＡＶ機器１の動作を説明する。まず、図１４および図１５に示すように、表示ユニット３が収容位置に位置付けられ、かつ操作ユニット４が覆い位置に位置付けられている。この状態では、第１駆動部５のラック２２の機器本体２の奥側の端部に走行歯車２３が噛み合っているとともに、表示パネル３ａが下方に相対している。
【０１０２】
さらに、図９に示すように、第２駆動部６の第１スライドシャーシ４５が、機器本体２の奥側即ち挿入口７ｂから離れた位置に位置付けられ、第２スライドシャーシ４６が、挿入口７ｂから離れている。そして、図８に示すように、下連結アーム４２のスライド突起５２が、第２スライド孔４０の挿入口７ｂから離れた側の端部と、第１スライドシャーシ４５の鉛直部５６に設けられた支持孔６１の傾斜部６５の挿入口７ｂ寄りの端部に位置している。さらに、下連結アーム４２のスライド突起５３が、第１スライド孔４１の挿入口７ｂから離れた側の端部に位置している。連結シャーシ４７のスライド突起７２は、第１スライドシャーシ４５の水平部５５に設けられたスライド孔５９の直線部６２の挿入口７ｂ寄りの端部に位置している。
【０１０３】
この状態で、表示ユニット３を機器本体２外に排出する際には、まず、スイッチ１７のうち表示ユニット３を機器本体２外に排出するため（引き出し用）の則ち表示ユニット３を視認位置に位置付けるためのスイッチ１７が操作される。すると、第２駆動部６のモータ３５が例えば正転駆動する。すると、モータ３５の駆動力が伝達歯車３８と連動歯車３６により第１スライドシャーシ４５に伝達され、第１スライドシャーシ４５が徐々に挿入口７ｂに向かって移動する。そして、第１スライドシャーシ４５が、固定シャーシ４４と連結シャーシ４７との間に徐々に侵入するとともに、固定シャーシ４４と第２スライドシャーシ４６との間に徐々に侵入する。
【０１０４】
すると、連結シャーシ４７に設けられたスライド突起７２が、徐々に円弧部６３に近づく方向に、第１スライドシャーシ４５に設けられたスライド孔５９の直線部６２内を移動する。このため、連結シャーシ４７は、縁部４７ａを中心として回転することなく、停止した状態を保つ。
【０１０５】
また、下連結アーム４２のスライド突起５２は、第１スライドシャーシ４５に設けられた支持孔６１の傾斜部６５内に位置しているので、第１スライドシャーシ４５に対し相対的に移動することなく、周板１３に設けられた第２スライド孔４０の水平部４８内を移動する。また、下連結アーム４２のスライド突起５３が、周板１３に設けられた第１スライド孔４１の水平部５０内を移動する。このため、下連結アーム４２は、徐々に、機器本体２外に排出される。このため、操作ユニット４の下端部が徐々に機器本体２の筐体７の一つの面７ｃより前方に突出して、操作ユニット４が徐々に上向きに変位する。
【０１０６】
すると、図１６および図１７に示すように、操作ユニット４は、挿入口７ｂを覆ったまま開口部７ａを開放する。
【０１０７】
そして、図１０に示すように、下連結アーム４２のスライド突起５２が、第２スライド孔４０の傾斜部４９と第１スライドシャーシ４５の支持孔６１の傾斜部６５に侵入して、該傾斜部４９，６５に沿って上方に変位する。さらに、下連結アーム４２のスライド突起５３が、第１スライド孔４１の傾斜部５１に侵入して、該傾斜部５１に沿って下方に変位する。スライド突起５２が下連結アーム４２の端部に設けられ、スライド突起５３が下連結アーム４２の中央部に設けられているので、下連結アーム４２の機器本体２の挿入口７ｂ寄りの一端部が下方に変位して、操作ユニット４の下端部が下方に変位する。そして、図２０および図２１に示すように、操作ユニット４は、開口部７ａと挿入口７ｂとの双方を開放する挿排出位置に位置付けられる。この挿排出位置では、前述したＤＶＤビデオ８２などの出し入れが行われる。
【０１０８】
また、図１６および図１７に示すように、操作ユニット４が、挿入口７ｂを覆ったまま開口部７ａを開放すると、第１駆動部５のモータ２１が正転駆動する。そして、走行歯車２３がラック２２上を走行して、走行歯車２３が徐々に開口部７ａに近づく。すると、表示ユニット３が徐々に、機器本体２外に排出される。そして、図１９中に二点鎖線で示すように、表示ユニット３が機器本体２外に排出されて、表示パネル３ａが下方に相対する基準位置に位置付けられる。
【０１０９】
そして、前述したモータ２１が停止するとともに、第１駆動部５のモータ２７が例えば正転駆動する。すると、表示ユニット３を一端部３ｃを中心として回転して、図１８および図１９に示すように、徐々に表示パネル３ａが上方に向くように、表示ユニット３を徐々に立ち上げられる。そして、図２０および図２１に示すように、表示ユニット３が視認位置に位置付けられる。この視認位置では、ねじりコイルばね３０によって、表示ユニット３は、表示パネル３ａが上方に向く方向に（即ち、視認位置に向かって）付勢されている。
【０１１０】
こうして、図２０および図２１に示すように、表示ユニット３が視認位置に位置付けられるとともに、操作ユニット４が挿排出位置に位置付けられる。そして、第１駆動部５のモータ２７が停止する。表示ユニット３は、ＤＶＤプレーヤやテレビチューナなどの情報を表示パネル３ａに表示する。
【０１１１】
また、第２駆動部６のモータ３５がさらに正転駆動すると、図１１に示すように、連結シャーシ４７のスライド突起７２が第１スライドシャーシ４５のスライド孔５９の円弧部６３内に侵入する。さらに、モータ３５が正転駆動すると、図１２に示すように、第１スライドシャーシ４５がさらに挿入口７ｂに近づくとともに、スライド突起７２が円弧部６３の奥に侵入する。すると、連結シャーシ４７は、コイルばね７１の付勢力に抗して、縁部４７ａを中心として回転する。すると、スライド突起７３が連結孔６９内に侵入しているので、連結シャーシ４７は、第２スライドシャーシ４６をコイルばね７１の付勢力に抗して、挿入口７ｂに向かって押圧する。すると、第２スライドシャーシ４６は、挿入口７ｂに近づく。
【０１１２】
一方、操作ユニット４が挿排出位置に位置付けられると、スライド突起５２が第１スライドシャーシ４５の支持孔６１の水平部６４内に侵入する。さらに、スライド突起５２，５３がスライド孔４０，４１の挿入口７ｂ寄りの端部に位置する。このため、第１スライドシャーシ４５がさらに移動しても、図１２に示すように、スライド突起５２が支持孔６１の水平部６４を移動して、下連結アーム４２は、停止する。
【０１１３】
さらに、第２スライドシャーシ４６が、挿入口７ｂに近づけられると、上連結アーム４３が機器本体２の前方に排出される。このように、下連結アーム４２が停止し、上連結アーム４３が機器本体２の前方に排出されるので、挿排出位置から操作ユニット４の上端部が上方に変位する。こうして、図２２および図２３に示すように、操作ユニット４が挿入口７ｂを覆う操作位置に位置付けられる。この操作位置では、操作ユニット４やタッチパネルを操作して、表示ユニット３に表示する情報の選択が行われる。さらに、操作位置では、ＤＶＤビデオ８２を出し入れする際には、操作ユニット４やタッチパネルを操作して、モータ３５を逆転駆動して、操作ユニット４を挿排出位置に位置付ける。また、操作位置から覆い位置に操作ユニット４を移動するとともに、表示ユニット３を収容位置に移動する際には、モータ２１，２７，３５を先ほどと反対に駆動する。即ち、モータ２１，２７，３５を逆転駆動する。
【０１１４】
このように、覆い位置と挿排出位置との間を操作ユニット４が移動する際には、動作切換機構８０は、上連結アーム４３の他端４３ｂの移動を停止したまま下連結アーム４２の他端４２ｂを奥行き方向Ｙに沿って移動させる。挿排出位置と操作位置との間を操作ユニット４が移動する際には、動作切換機構８０は、下連結アーム４２の他端４２ｂの移動を停止したまま上連結アーム４３の他端４３ｂを奥行き方向Ｙに沿って移動させる。こうして、動作切換機構８０は、操作ユニット４を覆い位置と挿排出位置と操作位置とに亘って変位させる。
【０１１５】
また、ＡＶ機器１は、表示ユニット３を機器本体２内に収容したまま、機器本体２にＤＶＤビデオ８２を出し入れする際には、表示ユニット３を機器本体２内に収容したまま、第２駆動部６のみ動作させて、操作ユニット４を、図１４および図１５に示す覆い位置と、図２０および図２１に示す挿排出位置とに亘って移動する。このときも、前述したように第２駆動部６を動作させる。
【０１１６】
本実施例によれば、使用時に操作ユニット４が位置付けられ、かつ露出面１５ａが機器本体２の一つの面７ｃに対し傾きかつ操作ユニット４が挿入口７ｂを覆う操作位置が、操作ユニット４の移動範囲の端に位置付けられている。このため、使用時に位置付けられる操作位置における操作ユニット４の機器本体２に対するガタを抑制できる。したがって、使用時における操作ユニット４のがたつきを抑制でき、使用時における異音の発生を防止できる。
【０１１７】
操作ユニット４を移動する駆動ユニット３７が、下連結アーム４２と、上連結アーム４３と、これらのアーム４２，４３の動作をつかさどる動作切換機構８０とを備えている。動作切換機構８０が、覆い位置と挿排出位置との間では、下連結アーム４２のみ移動し、挿排出位置と操作位置との間では上連結アーム４３のみ移動するので、挿排出位置より操作位置における露出面１５ａの機器本体２の一つの面７ｃに対する傾きを小さくすることができる。
【０１１８】
このため、挿排出位置で操作ユニット４が挿入口７ｂを開放できるとともに、操作位置で操作ユニット４が挿入口７ｂを覆うことができる。したがって、使用時に用いられる操作位置を、確実に操作ユニット４の移動範囲の端に位置付けることができる。
【０１１９】
駆動ユニット３７の動作切換機構８０が、機器本体２にスライド自在な第１スライドシャーシ４５と、連結アーム４２，４３の動作を切り換える動作切り換え部８１と、機器本体２にスライド自在な第２スライドシャーシ４６と、第１スライドシャーシ４５から押圧されると第２スライドシャーシ４６を押圧する連結シャーシ４７と、を備えている。
【０１２０】
動作切り換え部８１が、覆い位置と挿排出位置との間では、下連結アーム４２を機器本体２に対して移動させ、挿排出位置と操作位置との間では下連結アーム４２の移動を規制する。このため、動作切換機構８０が、覆い位置と挿排出位置との間では、下連結アーム４２のみを確実に移動できる。
【０１２１】
また、覆い位置と操作位置とに亘って、第１スライドシャーシ４５が機器本体２に対してスライドするとともに、挿排出位置と操作位置との間で第２スライドシャーシ４６が連結シャーシ４７を介して第１スライドシャーシ４５から押圧される。このため、一つのモータ３５で、操作ユニット４を確実に覆い位置と挿排出位置と操作位置とに順に移動できる。したがって、第２駆動部６即ち操作ユニット４を移動する機構即ち機器自体の小型化を図ることができる。
【０１２２】
操作ユニット４が移動する際にスライドする第１スライドシャーシ４５を、水平部５５と鉛直部５６とを備えてＬ字状に形成し、水平部５５と鉛直部５６との双方に操作ユニット４の動作をつかさどるカム部としての孔５９，６１を設けている。このため、操作ユニット４の動作をつかさどる第１スライドシャーシ４５の小型化（薄型化）を図ることができ、操作ユニット４を移動する機構即ち駆動ユニット３７の小型化を図ることができる。
【０１２３】
表示ユニット３の一端部３ｃに設けられた回転軸１４の外周に大径部３３を取り付け、該大径部３３をねじりコイルばね３０内に通して、該ねじりコイルばね３０を大径部３３の外周に取り付けている。このため、ねじりコイルばね３０の内大径が大きくなり、該ねじりコイルばね３０を構成する材料（線材）が長くなって、視認位置から基準位置に向かって、表示ユニット３を変位させた際のねじりコイルばね３０のねじり量が前述した材料（線材）の全長に対して相対的に小さくなる。
【０１２４】
このため、ねじりコイルばね３０のばね定数が小さくなって、視認位置で所定の力で表示ユニット３を付勢できるように、ねじりコイルばね３０のばね定数を定めると、前述したねじりコイルばね３０の付勢力に抗して、表示ユニット３を視認位置から基準位置に向かって変位させるための力を弱くすることができる。このため、ＡＶ機器１は、表示ユニット３を視認位置から基準位置に向かって移動する際にかかる力を弱くすることができる。
【０１２５】
このため、表示ユニット３を移動するためのモータ３５の減速比を小さくすることができるとともに、モータ３５からの動力を伝達する部分の機構を簡素化することができ、該動力を伝達する機構の小型化を図ることができる。
【０１２６】
さらに、表示ユニット３を視認位置から基準位置に向かって移動する際にかかる力を弱くすることができるので、モータ３５自体の小型化を図ることができる。
【０１２７】
したがって、表示ユニット３を移動する際に必要な力を減少させることを可能にして、ＡＶ機器１の機器全体の小型化を図ることができる。
【０１２８】
表示ユニット３の一端部３ｃに設けられた取り付け可能領域Ｒの中心Ｐ２と回転軸１４の軸芯Ｐ１とが位置ずれしている際に、大径部３３の軸芯Ｐ３を、回転軸１４の軸芯Ｐ１より取り付け可能領域Ｒの中心Ｐ２寄りに位置付けている。このため、取り付け可能領域Ｒの限られたスペースで、確実にねじりコイルばね３０の大径化を図ることができる。
【０１２９】
取り付け可能領域Ｒの幅Ｈを、ねじりコイルばね３０の外径と略等しくしている。したがって、取り付け可能領域Ｒの限られたスペースで、ねじりコイルばね３０の大径化を確実に図ることができる。
【０１３０】
前述した実施例では、ＤＶＤプレーヤなどを備えたＡＶ機器１を示している。しかしながら、本発明では、ＤＶＤプレーヤ以外の他の電子ユニットを備えた電子機器でも良い。
【０１３１】
前述した実施例では、可動ユニットとしては、表示面としての表示パネル３ａを有した表示ユニット３を示している。しかしながら、本発明では、可動ユニットは、表示ユニット３以外の種々の電子ユニットであっても良い。前述した実施例では、移動ユニットとしては、操作部を有した操作ユニット４を示している。しかしながら、本発明では、移動ユニットは、操作ユニット４以外の種々の電子ユニットであっても良い。
【０１３２】
前述した実施例では、第１スライドシャーシ４５をＬ字状に形成している。しかしながら、本発明では、操作位置を操作ユニット４の移動範囲の端に位置付ければ、第１スライドシャーシ４５をＬ字状に形成しなくても良い。
【０１３３】
また、前述した実施例では、操作位置を操作ユニット４の移動範囲の端に位置付けている。しかしながら、本発明では、第１スライドシャーシ４５をＬ字状に形成すれば、操作位置を操作ユニット４の移動範囲の端に位置付けなくても良い。
【０１３４】
前述した実施例によれば、以下のＡＶ機器１が得られる。
【０１３５】
（付記１）
ＤＶＤビデオ８２を出し入れ自在な挿入口７ｂが設けられた機器本体２と、
前記機器本体２に移動自在に設けられているとともに、前記機器本体２の一つの面７ｃの前方に露出される露出面１５ａを備えた操作ユニット４と、を備えたＡＶ機器１であって、
前記操作ユニット４を、前記挿入口７ｂ全体を覆う第１の位置と、前記挿入口７ｂ全体を開放する第２の位置と、前記挿入口７ｂの一部を覆う第３の位置とに順に移動する駆動ユニット３７を備えたことを特徴とするＡＶ機器１。
【０１３６】
（付記２）
前記駆動ユニット３７は、
その一端４２ａが前記操作ユニット４の下端部４ａを支持するとともにその他端４２ｂが前記一つの面７ｃから突没する方向Ｙに移動自在に設けられた下連結アーム４２と、
その一端４３ａが前記操作ユニット４の上端部４ｂを支持するとともにその他端４３ｂが前記一つの面７ｃから突没する方向Ｙに移動自在に設けられた上連結アーム４３と、
前記第１の位置と前記第２の位置との間を移動する際には、前記上連結アーム４３の他端４３ｂの移動を停止したまま前記下連結アーム４２の他端４２ｂを前記一つの面７ｃから突没する方向Ｙに移動させ、前記第２の位置と前記第３の位置との間を移動する際には、前記下連結アーム４２の他端４２ｂの移動を停止したまま前記上連結アーム４３の他端４３ｂを前記一つの面７ｃから突没する方向Ｙに移動させる動作切換機構８０と、を備えたことを特徴とする付記１記載のＡＶ機器１。
【０１３７】
（付記３）
前記動作切換機構８０は、
前記操作ユニット４を前記第１の位置と前記第２の位置と前記第３の位置とに順に移動する際に前記機器本体２に対して移動する第１スライドシャーシ４５と、
前記第１の位置と前記第２の位置との間を移動する際には前記第１スライドシャーシ４５とともに前記下連結アーム４２の他端４２ｂを前記機器本体２に対して移動させ、前記第２の位置と前記第３の位置との間を移動する際には前記下連結アーム４２の他端４２ｂの前記機器本体２に対する移動を規制して前記第１スライドシャーシ４５を移動させる動作切り換え部８１と、
前記機器本体２に前記第１スライドシャーシ４５に接離する方向に移動自在に設けられかつ前記第１スライドシャーシ４５に向かって付勢されているとともに前記上連結アーム４３を支持した第２スライドシャーシ４６と、
前記第２の位置と前記第３の位置との間では、前記第１スライドシャーシ４５に押圧されて前記第２スライドシャーシ４６を前記付勢力に抗して押圧する連結シャーシ４７と、
を備えたことを特徴とする付記２記載のＡＶ機器１。
【０１３８】
（付記４）
前記第１スライドシャーシ４５は、
水平部５５と、前記水平部５５から立設した鉛直部５６と、を備えてＬ字状に形成され、
前記水平部５５と前記鉛直部５６との一方に、前記下連結アーム４２の動作をつかさどる支持孔６１を設け、他方に前記連結シャーシ４７の動作をつかさどるスライド孔５９を設けたことを特徴とする付記３記載のＡＶ機器１。
【０１３９】
（付記５）
ＤＶＤビデオ８２を出し入れ自在な挿入口７ｂが設けられた機器本体２と、
前記機器本体２に移動自在に設けられているとともに、前記機器本体２の一つの面７ｃの前方に露出される露出面１５ａを備えた操作ユニット４と、前記操作ユニット４を移動する駆動ユニット３７と、を備えたＡＶ機器１であって、
前記駆動ユニット３７は、前記操作ユニット４が移動する間に前記機器本体２に対してスライドする第１スライドシャーシ４５を備え、
前記第１スライドシャーシ４５は、
水平部５５と、前記水平部５５から立設した鉛直部５６と、を備えてＬ字状に形成され、
前記水平部５５と前記鉛直部５６との双方に、前記操作ユニット４の動作をつかさどる支持孔６１とスライド孔５９を設けたことを特徴とするＡＶ機器１。
【０１４０】
付記１によれば、使用時に操作ユニット４が位置付けられ、かつ露出面１５ａが機器本体２の一つの面７ｃに対し傾きかつ操作ユニット４が挿入口７ｂを覆う操作位置が、操作ユニット４の移動範囲の端に位置付けられている。このため、使用時に位置付けられる操作位置における操作ユニット４の機器本体２に対するガタを抑制できる。したがって、使用時における操作ユニット４のがたつきを抑制でき、使用時における異音の発生を防止できる。
【０１４１】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004598056.tif 000002
【図２】
0004598056.tif 000003
【図３】
0004598056.tif 000004
【図４】
0004598056.tif 000005
【図５】
0004598056.tif 000006
【図６】
0004598056.tif 000007
【図７】
0004598056.tif 000008
【図８】
0004598056.tif 000009
【図９】
0004598056.tif 000010
【図１０】
0004598056.tif 000011
【図１１】
0004598056.tif 000012
【図１２】
0004598056.tif 000013
【図１３】
0004598056.tif 000014
【図１４】
0004598056.tif 000015
【図１５】
0004598056.tif 000016
【図１６】
0004598056.tif 000017
【図１７】
0004598056.tif 000018
【図１８】
0004598056.tif 000019
【図１９】
0004598056.tif 000020
【図２０】
0004598056.tif 000021
【図２１】
0004598056.tif 000022
【図２２】
0004598056.tif 000023
【図２３】
0004598056.tif 000024